(57)【特許請求の範囲】
【請求項１】
音声信号入力用のコネクタからアナログ音声信号が入力されるとそのアナログ音声信号の内容に応じた処理を行う音声制御機能を有する情報処理端末に装着可能な接続デバイスであって、
前記情報処理端末が備える前記コネクタに挿抜可能であってそのコネクタに挿入されることでそのコネクタと電気的に接続される接続部と、
音声情報が記憶された音声情報記憶部と、
前記接続部が前記情報処理端末の前記コネクタに挿入された場合に、前記音声情報記憶部に記憶されている前記音声情報をアナログ音声信号として前記接続部から出力させる音声出力制御部と、を備えること
を特徴とする接続デバイス。
【請求項２】
請求項１に記載の接続デバイスであって、
前記音声情報記憶部は、複数の前記音声情報を記憶可能に構成されており、
更に、前記音声情報記憶部に記憶されている複数の前記音声情報のうち何れか１つを選択する出力情報選択部を備え、
前記音声出力制御部は、前記音声情報記憶部に記憶されている複数の前記音声情報のうち、前記出力情報選択部により選択された音声情報をアナログ音声信号として前記接続部から出力させること
を特徴とする接続デバイス。
【請求項３】
請求項１又は請求項２に記載の接続デバイスであって、
前記情報処理端末が有する前記音声制御機能には、アナログ音声信号として電話番号を表す情報が入力されるとその電話番号への発信を行う機能が含まれており、
前記音声情報記憶部には、前記音声情報として電話番号を表す情報が記憶されており、
前記音声出力制御部は、前記接続部が前記情報処理端末の前記コネクタに挿入された場合、前記音声情報記憶部に記憶されている前記電話番号を表す情報をアナログ音声信号として前記接続部から出力させること
を特徴とする接続デバイス。
【請求項４】
請求項１〜請求項３の何れか１項に記載の接続デバイスであって、
前記情報処理端末が有する前記音声制御機能には、アナログ音声信号としてメールの送信を要求するための少なくともその送信先のメールアドレスを含むメール情報が入力されるとそのメールアドレス宛にメールを送信する機能が含まれており、
前記音声情報記憶部には、前記音声情報として前記メール情報が記憶されており、
前記音声出力制御部は、前記接続部が前記情報処理端末の前記コネクタに挿入された場合、前記音声情報記憶部に記憶されている前記メール情報をアナログ音声信号として前記接続部から出力させること
を特徴とする接続デバイス。
【発明の詳細な説明】
【技術分野】
【０００１】
本発明は、情報処理端末に装着可能な接続デバイスに関する。
【背景技術】
【０００２】
近年、スマートフォンやタブレット端末などの携帯型の情報処理端末が広く普及してきている。このような情報処理端末では、電話やメールに加え、インターネット上の各種ウェブサイトへアクセスすることができる。更に、ユーザインタフェースとして音声制御機能を搭載した情報処理端末も普及しつつある。音声制御機能とは、具体的には、ユーザ等が情報処理端末へ直接話しかけて音声入力すると情報処理端末がその音声の内容を認識してその内容に応じた処理を行うというものである（例えば、非特許文献１参照。）。
【先行技術文献】
【非特許文献】
【０００３】
【非特許文献１】“iPhoneユーザガイド  iOS6  ソフトウェア用”、［online］、２０１２年、Apple Inc.［平成２５年２月２０日検索］、インターネット＜URL：http://manuals.info.apple.com/ja_JP/iphone_user_guide_j.pdf＞
【発明の概要】
【発明が解決しようとする課題】
【０００４】
情報処理端末の各種機能を利用するためには、当然ながら、ユーザ自ら所定の操作を行う必要がある。例えば電話をかけるためには、ユーザ自ら、電話帳リストを表示させて所望の発信相手を選択したり、電話番号入力画面を表示させて電話番号を入力したりするなどの操作を行う必要がある。こういった、所望の機能実現のために必要なユーザの操作は、ユーザの使い勝手や利便性等の向上のためには、できる限り簡素化されることが望まれる。
【０００５】
これに対し、音声制御機能を利用することで、ユーザの操作性を幾分かは簡素化することができる。例えば、音声制御機能を起動させた状態でユーザが電話番号を発声することで、その電話番号へ自動的に発信させることができる。
【０００６】
しかし、音声制御機能を用いてユーザが直接話しかけることにより所望の機能を利用する方法は、ユーザの発声内容やその音量、音質等によっては発声内容が正しく認識されないこともあるなど、課題も多い。
【０００７】
本発明は上記課題に鑑みなされたものであり、情報処理端末が備える各種機能を容易且つ確実に利用できるようにすることで携帯情報端末を使用するユーザの使い勝手や利便性を向上させることを目的とする。
【課題を解決するための手段】
【０００８】
上記課題を解決するためになされた本発明の接続デバイスは、音声信号入力用のコネクタからアナログ音声信号が入力されるとそのアナログ音声信号の内容に応じた処理を行う音声制御機能を有する情報処理端末に対して装着可能な接続デバイスであって、接続部と、音声情報記憶部と、音声出力制御部とを備える。
【０００９】
接続部は、情報処理端末が備えるコネクタに挿抜可能であってそのコネクタに挿入されることでそのコネクタと電気的に接続される。音声情報記憶部は、音声情報が記憶される。音声出力制御部は、接続部が情報処理端末のコネクタに挿入された場合に、音声情報記憶部に記憶されている音声情報をアナログ音声信号として接続部から出力させる。
【００１０】
このように構成された本発明の接続デバイスによれば、音声制御機能を有する情報処理端末に装着（接続部をコネクタに挿入）すると、音声情報が情報処理端末に出力されて、情報処理端末においてその音声情報の内容に応じた処理が行われる。つまり、情報処理端末に所望の処理を実行させるために必要な音声情報を予め接続デバイス内に記憶させておけば、その接続デバイスを情報処理端末に接続するという簡単な操作で、その所望の処理を自動的に実行させることができる。
【００１１】
そのため、本発明の接続デバイスを用いれば、情報処理端末が備える各種機能を容易且つ確実に利用することができ、携帯情報端末を使用するユーザの使い勝手や利便性を向上させることができる。
【００１２】
音声情報記憶部は、複数の音声情報を記憶可能な構成とすることができる。その場合、音声情報記憶部に記憶されている複数の音声情報のうち何れか１つを選択する出力情報選択部を備えるようにし、音声出力制御部は、音声情報記憶部に記憶されている複数の音声情報のうち、出力情報選択部により選択された音声情報をアナログ音声信号として接続部から出力させるようにするとよい。
【００１３】
このように、複数の音声情報のうち何れか１つを選択的に出力できるようにすることで、接続デバイスの利用価値を高めることができる。
情報処理端末が有する音声制御機能として、電話番号を表す情報がアナログ音声信号にて入力されるとその電話番号への発信を行う機能が含まれている場合は、本発明の接続デバイスは、次のように構成してもよい。即ち、音声情報記憶部には、音声情報として電話番号を表す情報が記憶されており、音声出力制御部は、接続部が情報処理端末のコネクタに挿入された場合、音声情報記憶部に記憶されている電話番号を表す情報をアナログ音声信号として接続部から出力させる。
【００１４】
このように構成された接続デバイスによれば、情報処理端末から所望の電話番号への発信を、接続デバイスを情報処理端末に接続するという簡単な操作で、容易且つ確実に行うことができる。
【００１５】
また、情報処理端末が有する音声制御機能として、メールの送信を要求するための少なくともその送信先のメールアドレスを含むメール情報がアナログ音声信号にて入力されるとそのメールアドレス宛にメールを送信する機能が含まれている場合は、本発明の接続デバイスは、次のように構成してもよい。即ち、音声情報記憶部には、音声情報としてメール情報が記憶されており、音声出力制御部は、接続部がコネクタに挿入された場合、音声情報記憶部に記憶されているメール情報をアナログ音声信号として接続部から出力させる。
【００１６】
このように構成された接続デバイスによれば、情報処理端末から所望のメールアドレス宛へのメール送信を、接続デバイスを情報処理端末に接続するという簡単な操作で、容易且つ確実に行うことができる。
【図面の簡単な説明】
【００１７】
【図１】第１実施形態の接続デバイスの外観を表す説明図であり、（ａ）は正面図、（ｂ）は上面図（（ａ）のＡ視図）、（ｃ）は側面図（（ａ）のＢ視図）である。
【図２】第１実施形態の接続デバイスが携帯通信端末に接続された状態を表す説明図である。
【図３】第１実施形態の接続デバイスの内部構成を表す説明図である。
【図４】第１実施形態の制御部が実行する音声コマンド出力制御処理を表すフローチャートである。
【図５】第２実施形態の接続デバイスの内部構成を表す説明図である。
【図６】第２実施形態の制御部が実行する音声コマンド出力制御処理を表すフローチャートである。
【発明を実施するための形態】
【００１８】
以下に、本発明の好適な実施形態を図面に基づいて説明する。なお、本発明は、下記の実施形態に示された具体的手段や構造等に限定されるものではなく、本発明の要旨を逸脱しない範囲において種々の形態を採り得る。また、下記の実施形態の構成の一部を、課題を解決できる限りにおいて省略した態様も本発明の実施形態であり、下記の複数の実施形態を適宜組み合わせて構成される態様も本発明の実施形態である。
【００１９】
［第１実施形態］
（１）接続デバイスの構成と機能の概要
図１に示す本実施形態の接続デバイス１０は、スマートフォン等の携帯通信端末２０（図２参照）が備えるヘッドセットジャック（以下「ジャック」という）２３に差し込んで使用される機器である。具体的には、接続デバイス１０は、筐体１と、プラグ２と、プラグ支持部３とを備えている。
【００２０】
筐体１は、略直方体形の樹脂製の容器である。この筐体１には、図１（ａ）に示すように、その表面（図１（ａ）に図示されている面）に、再送用スイッチ１４とＬＥＤ１５が設けられている。これら再送用スイッチ１４及びＬＥＤ１５の機能については後述する。
【００２１】
筐体１の上面（図１（ｂ）に図示されている面）には、プラグ支持部３が設けられ、このプラグ支持部３にプラグ２が支持されている。なお、プラグ支持部３を設けずに筐体１にてプラグ２を直接支持する構造としてもよい。
【００２２】
プラグ２は、それぞれ電気的に絶縁された４つの端子（導体）が一方向に連接されてなるものである。具体的には、プラグ２は、その根本（筐体１の上面側）から、音声信号出力端子５、グランド端子６、右側音声信号入力端子７及び左側音声信号入力端子８、の順で連接（但し電気的には絶縁）されている。
【００２３】
接続デバイス１０は、スマートフォンやタブレット端末などの各種の情報処理端末に接続して使用するものである。図２は、一例として、接続デバイス１０を携帯通信端末２０に接続した状態を示している。
【００２４】
図２に示す携帯通信端末２０は、電話やメール、Ｗｅｂアクセスなどを中心とする各種機能を備えたスマートフォンである。この携帯通信端末２０は、図２に示すように、タッチパネル付ディスプレイ２１やホームボタン２２、ジャック２３などを備えている。この携帯通信端末２０が備えている機能の中には、既述の音声制御機能がある。この音声制御機能を用いれば、ユーザは、携帯通信端末２０に対して音声コマンドを話すことで、その音声コマンドに対応した所望の機能を実行させることができる。
【００２５】
本実施形態の携帯通信端末２０が備える音声制御機能は、より具体的には、簡易音声制御機能と高度音声制御機能があり、これらを適宜切り替えて使用することができる。簡易音声制御機能の具体例としては、例えば電話番号を音声コマンドとして発声すると携帯通信端末２０がその電話番号に自動的に発信してくれる。また例えば、音楽を再生すべき旨の音声コマンドを発声すると、内部メモリに内蔵された音楽コンテンツが自動的に再生される。つまり、簡易音声制御機能は、所定の音声コマンドを発声すると予め決められた所定の機能を実行してくれるという、簡易的な機能であり、認識可能な音声コマンドにも制限がある。
【００２６】
一方、高度音声制御機能は、例えば米国アップル社製の携帯通信端末に搭載されているＳｉｒｉ（音声認識型のパーソナルアシスタント機能）のように、ユーザが端末に対して話しかけることで、クラウド（サーバ）と連係しつつ必要に応じてユーザへの音声による問いかけも交えながら、様々な機能を実行してくれるというものである。
【００２７】
高度音声制御機能を利用することで、例えば、電話をかけるよう話しかけることによりそこへ自動的に発信させたり、あるワードについてＷｅｂ検索するよう話しかけることで自動的にＷｅｂ検索を実行させて検索結果を音声出力させたりするなど、様々な機能を音声にて実行させることができる。
【００２８】
携帯通信端末２０には、図示しないマイクが設けられているため、音声制御機能の実行時には、このマイクから入力されたユーザの声をもとに各種機能が実行される。また、携帯通信端末２０には、ジャック２３が設けられている。ジャック２３は、アナログの音声信号を出力する機能だけでなく外部からアナログの音声信号を入力する機能も備えている。つまり、接続デバイス１０が備えるプラグ２の４つの端子５〜８それぞれに電気的に接続される接続端子を備えた構造となっている。このような構成により、携帯通信端末２０のジャック２３にマイク或いはマイク付きヘッドセットを接続することで、マイクを介して携帯通信端末２０へ音声を入力して音声制御機能を利用することもできる。
【００２９】
本実施形態の接続デバイス１０は、携帯通信端末２０が備える音声制御機能を利用して、携帯通信端末２０に所望の動作をさせるためのデバイスである。即ち、接続デバイス１０には予め音声コマンドのデータが記憶されており、接続デバイス１０を携帯通信端末２０に接続（図２のようにプラグ２をジャック２３に挿入）すると、接続デバイス１０からジャック２３を介して携帯通信端末２０へ自動的に音声コマンドがアナログ音声信号にて出力される。これにより、携帯通信端末２０に、その音声コマンドが示す所定の機能を実行させることができる。
【００３０】
本実施形態では、接続デバイス１０に音声コマンドデータとして電話番号が予め記憶されており、接続デバイス１０を携帯通信端末２０に接続するとその電話番号がアナログの音声コマンド（音声信号）にて携帯通信端末２０に出力されるよう構成されている。つまり、接続デバイス１０を携帯通信端末２０に接続するだけで接続デバイス１０に記憶されている電話番号に自動的に発信させることができる。因みに、後述する第２実施形態の接続デバイス３０（図５）は、携帯通信端末２０に接続すると自動的にメールを送信させることができるよう構成されている。
【００３１】
（２）接続デバイス１０の内部構成の説明
接続デバイス１０は、図３に示すように、筐体１内に、制御部１１と、音声コマンドデータ記憶部１２と、加速度センサ１３と、再送用スイッチ１４と、ＬＥＤ１５と、バッテリ１６とを備えている。
【００３２】
音声コマンドデータ記憶部１２は、ＲＯＭ又は電気的に書き換え可能な不揮発性メモリである。本実施形態では、音声コマンドデータ記憶部１２には、２つの音声コマンドデータＡ，Ｂが記憶されている。いずれも、例えば「０９０ｘｘｘｘｙｙｙｙに電話して」などといった、特定の電話番号に電話をかけるよう指示する音声コマンドを示すデータである。なお、２つの音声コマンドデータＡ，Ｂが示す電話番号はそれぞれ異なる番号である。
【００３３】
加速度センサ１３は、接続デバイス１０の姿勢を検出するために設けられている。この加速度センサ１３の検出信号に基づいて、制御部１１は、後述するように、接続デバイス１０が地面に対して相対的にどのような向き・角度となっているかを判断することができる。
【００３４】
再送用スイッチ１４は、ユーザにより押し操作される自動復帰型の押しボタンスイッチである。この再送用スイッチ１４は、ユーザ自ら音声コマンドを携帯通信端末２０に出力させたいような状況が生じた場合に押し操作されるものである。既述の通り、本実施形態の接続デバイス１０は、携帯通信端末２０に接続するだけで自動的に電話をかけさせることができるが、何らかの要因で、接続デバイス１０が携帯通信端末２０に接続されて音声コマンドが出力されても携帯通信端末２０から発信されないエラーが生じる可能性がある。そのような場合にユーザが再送用スイッチ１４を押すと、同じ音声コマンドが再び出力される。
【００３５】
ＬＥＤ１５は、周知の発光デバイスであり、制御部１１により点灯・消灯が制御される。バッテリ１６は、例えば小型のボタン型電池であり、制御部１１をはじめ当該接続デバイス１０の各部にその動作用の電力を供給する。
【００３６】
制御部１１は、本実施形態では、ＣＰＵ、ＲＯＭ、ＲＡＭ、各種信号処理回路等を備えたマイクロコンピュータを中心とした構成となっている。制御部１１は、プラグ２を構成する４つの端子５〜８とそれぞれ電気的に接続されている（但しグランド端子６との接続状態は図３では図示略）。
【００３７】
制御部１１は、接続デバイス１０が携帯通信端末２０に接続されたことの検知、携帯通信端末２０への音声制御機能起動のための信号の出力、加速度センサ１３からの検出信号に基づく接続デバイス１０の姿勢検知、ＬＥＤ１５の点灯制御、音声コマンドデータ記憶部１２に記憶されている音声コマンドデータの読み出し、音声コマンドデータのアナログ音声信号への変換・出力などの、各種機能を実行する。
【００３８】
本実施形態では、音声コマンドデータ記憶部１２には２つの音声コマンドデータＡ，Ｂが記憶されており、制御部１１は、どちらの音声コマンドデータを読み出すかについては、接続デバイス１０の姿勢により判断する。具体的には、制御部１１は、加速度センサ１３からの検出信号に基づいて、接続デバイス１０の表面及び裏面（図１（ａ）に図示されている面とは反対側の面）のどちらが地面に対向しているかを判断し、その判断結果に応じて、例えば表面が地面に対向している場合は音声コマンドデータＡを選択し、裏面が地面に対向している場合は音声コマンドデータＢを選択するようにしている。そして、制御部１１は、その選択した何れか１つの音声コマンドデータをアナログ音声信号（音声コマンド）に変換して、その音声コマンドを携帯通信端末２０へ出力する。
【００３９】
つまり、ユーザとしては、携帯通信端末２０に接続デバイス１０を接続する際の接続デバイス１０の姿勢（表面、裏面のどちらを地面に向けるか）によって、音声コマンドＡ，Ｂのどちらを（つまりどちらの電話番号を）携帯通信端末２０に出力させるかを切り替え・選択することができる。なお、加速度センサ１３ではなく（或いは加速度センサ１３に加えて）、例えばジャイロセンサなどの他のセンサを用いてもよい。
【００４０】
また、音声コマンドデータ記憶部１２は、記憶されている音声コマンドデータを書き換えできない構成であってもよいし、書き換え可能な構成であってもよい。書き換え可能に構成する場合、例えば、プラグ２とは別にデータ通信用の端子を設け、外部から書き換え用の音声コマンドデータを入力できるようにすることが考えられる。このようにすることで、例えば接続デバイス１０をパソコンに接続してパソコンから容易に音声コマンドデータを書き換える（つまり電話番号を書き換える）ことができる。
【００４１】
（３）接続デバイス１０の動作の説明
次に、接続デバイス１０の制御部１１が実行する音声コマンド出力制御処理について、図４を用いて説明する。制御部１１は、バッテリ１６からの電力により動作を開始すると、図４の音声コマンド出力制御処理を所定周期で繰り返し実行する。
【００４２】
制御部１１は、図４の音声コマンド出力制御処理を開始すると、Ｓ１１０で、プラグ２が携帯通信端末２０のジャック２３に挿入されたか否か判断する。この判断は、具体的には、プラグ２における各音声信号入力端子７，８の少なくとも一方の電位がＬｏｗレベル（以下「Ｌレベル」という）になっているか否かを判断することにより行う。プラグ２が携帯通信端末２０に接続されていない状態では、各音声信号入力端子７，８はハイインピーダンス状態であるが、プラグ２が携帯通信端末２０のジャック２３に挿入されると、各音声信号入力端子７，８は、携帯通信端末２０の内部と電気的に接続されてこれによりＬレベルとなる。
【００４３】
Ｓ１１０で、プラグ２がジャック２３に挿入されていない場合はこの音声コマンド出力制御処理を終了するが、プラグ２がジャック２３に挿入さたと判断した場合は、Ｓ１２０で、ＬＥＤ１５を点灯させる。
【００４４】
Ｓ１３０では、接続デバイス１０の姿勢を算出する。具体的には、既述のように筐体１の表面及び裏面のどちらが地面に対向しているかを算出する。その後、Ｓ１４０で２秒間待機し、Ｓ１５０で、プラグ２における音声信号出力端子５を２秒間Ｌレベルにセットする。これにより、携帯通信端末２０において音声制御機能を起動させる。その後Ｓ１６０で１秒間待機し、Ｓ１７０で、Ｓ１３０で算出した接続デバイス１０の姿勢に応じた何れかの音声コマンドデータを音声コマンドデータ記憶部１２から読み出す。
【００４５】
Ｓ１８０では、Ｓ１７０で読み出した音声コマンドデータをアナログの音声コマンド（アナログ音声信号）に変換して、音声信号出力端子５から携帯通信端末２０へ出力する。音声コマンドの出力後、Ｓ１９０でＬＥＤ１５を消灯する。
【００４６】
そして、Ｓ２００で、プラグ２が携帯通信端末２０のジャック２３から外されたか否か判断し、外された場合はこの音声コマンド出力制御処理を終了する。Ｓ２００で、プラグ２がまだジャック２３に挿入されている場合は、Ｓ２１０で、再送用スイッチ１４がオンされたか否か判断する。
【００４７】
再送用スイッチ１４がオンされていない場合はＳ２００に戻るが、再送用スイッチ１４がオンされた場合は、Ｓ１５０に戻り、Ｓ１５０以下の処理を再び実行する。つまり、音声コマンドの出力を再度行う。
【００４８】
（４）第１実施形態の効果
本実施形態の接続デバイス１０によれば、音声制御機能を有する携帯通信端末２０に装着（プラグ２をジャック２３に挿入）すると、電話番号がアナログ音声信号にて携帯通信端末２０に出力されて、携帯通信端末２０においてその電話番号への発信が自動で行われる。つまり、所望の電話番号を示す音声コマンドデータを予め接続デバイス１０内に記憶させておけば、接続デバイス１０を携帯通信端末２０に装着するだけの簡単な操作で、その所望の電話番号への発信を自動的に実行させることができる。
【００４９】
そのため、本実施形態の接続デバイス１０を用いれば、携帯通信端末２０が備える各種機能（特に音声制御機能に基づく電話自動発信機能）を容易且つ確実に利用することができ、携帯通信端末２０を使用するユーザの使い勝手や利便性を向上させることができる。
【００５０】
また、本実施形態では、２つの電話番号がそれぞれ音声コマンドデータＡ，Ｂとして記憶されており、接続デバイス１０の姿勢に応じて何れか１つの音声コマンドデータが選択される。そのため、ユーザは、接続デバイス１０を携帯通信端末２０に装着する際の接続デバイス１０の姿勢（地面に対する相対的な姿勢）を調整することで、所望の電話番号を選択的に出力させることができる。そのため、利用価値の高い接続デバイス１０の提供が可能となる。
【００５１】
また、仮に何らかの要因で音声制御機能が正常に動作せずに電話の発信が行われなかったとしても、ユーザは、再送用スイッチ１４を操作することで、再度、電話番号を音声出力して発信を要求することができる。
【００５２】
また、ＬＥＤ１５の点灯状態を見ることで、ユーザは、音声情報の出力動作中であるか否か（ひいては接続デバイス１０を携帯通信端末２０から取り外してもいいかどうか）を容易に認識することができる。
【００５３】
そして、上記のような各種の有用性を備えた本実施形態の接続デバイス１０を用いることで、様々なニーズに対応することができる。例えば個人的な利用形態として、電話番号の相互伝達が考えられる。即ち、自分の電話番号を記憶した接続デバイス１０を用意しておき、電話番号を伝えたい相手に接続デバイス１０を渡してその相手の携帯通信端末に接続してもらう。すると、その相手の携帯通信端末から自分の携帯通信端末宛に自動的に発信されることで、自分の電話番号を相手側に認識させることができる。しかも、自分の携帯通信端末においても相手側の電話番号が通知される。これにより、互いの電話番号のやりとりを、楽しみながらスピーディ、簡単且つ確実に行うことができる。
【００５４】
また例えば、飲食店などの店舗において、客の携帯通信端末を店のＷｅｂサイトやＦａｃｅｂｏｏｋ（Ｆａｃｅｂｏｏｋは登録商標。以下同様。）に誘導させるといった利用形態が考えられる。例えば、店舗側が予め、所定の電話番号（ショートメッセージ送信対応）を記憶した接続デバイス１０を用意しておき、来店した客の携帯通信端末にその接続デバイス１０を接続してもらう。すると、客の携帯通信端末からその電話番号へ自動的に発信され、その電話番号の接続先から所定のショートメッセージが客の携帯通信端末に送信されてくる。そのショートメッセージには、店のＷｅｂサイトのアドレス（ＵＲＬ）やＦａｃｅｂｏｏｋページのアドレスなどが含まれており、客がそれらアドレスをクリックすると対応するＷｅｂサイトやＦａｃｅｂｏｏｋページを開くことができる。これにより、店舗側としては、客に負担をかけることなく、店についての様々な情報を客に知ってもらったり、Ｆａｃｅｂｏｏｋページにおいて「ＬＩＫＥ！」ボタンを押してもらえたりすることを期待できる。
【００５５】
もちろん、上記のショートメッセージを利用した利用形態は、飲食店などの店舗に限らず、個人的利用も含めて様々なシーンで利用できる。例えば、個人のＦａｃｅｂｏｏｋページやブログなどにアクセスしてもらいたい場合にも利用できる。
【００５６】
また例えば、ゲームソフト企業において、オンラインゲームで使用できる様々なアイテム毎に個別に電話番号を設定して、アイテム毎に個別に接続デバイス１０を用意し、ゲームソフト販売店や人通りの多い町中の所定スペースなどに陳列して、ユーザが自由に利用できるようにしておく。ユーザが、気に入ったゲームのアイテムに対応した接続デバイス１０を自分の携帯通信端末に接続すると、設定された電話番号に自動で発信され、アイテム取得先のＵＲＬが含まれたショートメッセージが受信される。ユーザは、そのショートメッセージに含まれているＵＲＬにアクセスすると、所望のアイテムを獲得することができる。
【００５７】
なお、本実施形態において、プラグ２は本発明の接続部の一例に相当し、音声コマンドデータ記憶部１２は本発明の音声情報記憶部の一例に相当し、制御部１１は本発明の音声出力制御部の一例に相当し、各音声コマンドデータＡ，Ｂは本発明の音声情報の一例に相当し、携帯通信端末２０は本発明の情報処理端末の一例に相当し、ジャック２３は本発明のコネクタの一例に相当する。また、加速度センサ１３及び制御部１１により実現される音声コマンドデータの選択機能は、本発明の出力情報選択部の一例に相当する。
【００５８】
［第２実施形態］
次に、第２実施形態の接続デバイス３０について、図５を用いて説明する。図５に示すように、本実施形態の接続デバイス３０は、外見上は第１実施形態の接続デバイス１０と同じ大きさ・形状となっている。即ち、本実施形態の接続デバイス３０も、筐体１と、プラグ２と、プラグ支持部３とを備えている。また、筐体１の内部には、第１実施形態と同様、ＬＥＤ１５及びバッテリ１６が備えられている。これら第１実施形態と同じ構成要素には、第１実施形態と同じ符号を付している。
【００５９】
本実施形態の接続デバイス３０は、携帯通信端末２０が備える高度音声制御機能を利用して、携帯通信端末２０に自動的に所望のアドレス宛にメールを送信させるためのデバイスである。即ち、接続デバイス３０には予め、高度音声制御機能を利用してメールを送信させるために必要な複数の音声コマンドデータからなる音声コマンドデータ群が記憶されている。
【００６０】
具体的には、２種類の音声コマンドデータ群Ａ，Ｂが記憶されている。このうち一方の音声コマンドデータ群Ａは、４つの音声コマンドデータＡ１，Ａ２，Ａ３，Ａ４により構成されている。具体的には、１つ目の音声コマンドデータＡ１は、「メールせよ」という音声コマンドを示すデータである。２つ目の音声コマンドデータＡ２は、「１２＠１２３４５．ｃｏｍ」（つまりメールアドレス）という音声コマンドを示すデータである。３つ目の音声コマンドデータＡ３は、「・・・（メール本文の内容）・・・」という音声コマンドを示すデータである。４つ目の音声コマンドデータＡ４は、「送る」という音声コマンドを示すデータである。
【００６１】
携帯通信端末２０が備える高度音声制御機能を利用すれば、上記４つの音声コマンドＡ１〜Ａ４を用いることで、メールを自動送信させることができる。即ち、接続デバイス３０からまず１つ目の音声コマンドデータＡ１が示す音声コマンド「メールせよ」を出力すると、携帯通信端末２０から、「どこに？」という、送信先を尋ねる応答がアナログ音声信号として各音声信号入力端子７，８を介して返ってくる。携帯通信端末２０から応答が返ってきたことは、アナログ音声信号自体の入力又はそのアナログ音声信号の後に入力される所定の認識信号（例えば「ポポッ」といった、断続的に発生する報知音）によって認識することができる。
【００６２】
接続デバイス３０は、携帯通信端末２０から「どこに？」という最初の応答が返ってきたら、２つ目の音声コマンドデータＡ２が示す音声コマンド「１２＠１２３４５．ｃｏｍ」を出力する。すると、携帯通信端末２０から、「本文は？」という、メール本文の内容を尋ねる２番目の応答がアナログ音声信号として各音声信号入力端子７，８を介して返ってくる。
【００６３】
接続デバイス３０は、その２番目の応答を認識すると、３つ目の音声コマンドデータＡ３が示す音声コマンド「・・・（メール本文の内容）・・・」を出力する。すると、携帯通信端末２０から、「送信しますか？」という、メールの送信の可否を尋ねる３番目の応答がアナログ音声信号として各音声信号入力端子７，８を介して返ってくる。
【００６４】
接続デバイス３０は、その３番目の応答を認識すると、４つ目の音声コマンドデータＡ４が示す音声コマンド「送る」を出力する。すると、携帯通信端末２０は、接続デバイス３０から指示されたメールを、接続デバイス３０から指示されたメールアドレス宛に自動的に送信する。
【００６５】
なお、もう一方の音声コマンドデータ群Ｂについても、４つの音声コマンドデータＢ１，Ｂ２，Ｂ３，Ｂ４により構成されており、携帯通信端末２０の高度音声制御機能を利用して携帯通信端末２０と上記同様に自動で会話をしながらこれら４つの音声コマンドデータＢ１〜Ｂ４を順次出力していくことで、所望のメールアドレス宛に所望の内容のメールを送信させることができる。
【００６６】
このような機能を実現すべく、本実施形態の接続デバイス３０は、上記各構成要素のほか、更に、図５に示すように、制御部３１と、音声コマンドデータ群記憶部３２と、音声信号増幅部３３と、選択スイッチ３４とを備えている。
【００６７】
音声コマンドデータ群記憶部３２は、ハードウェア構成としては第１実施形態の接続デバイス１０の音声コマンドデータ記憶部１２と同様であり、上述した２つの音声コマンドデータ群Ａ，Ｂが記憶されている。
【００６８】
音声信号増幅部３３は、接続デバイス３０から出力した音声コマンドに対する携帯通信端末２０からの応答（既述の認識信号を含むアナログ音声信号）を増幅して制御部３１へ出力する。
【００６９】
選択スイッチ３４は、音声コマンドデータ群記憶部３２に記憶されている２つの音声コマンドデータ群Ａ，Ｂのうちどちらを出力すべきかをユーザに選択させるための、例えばディップスイッチなどのメカニカルスイッチである。
【００７０】
制御部３１は、第１実施形態の接続デバイス１０の制御部１１と同様、マイクロコンピュータを中心とした構成となっている。本実施形態の制御部３１が実行する音声コマンド出力制御処理について、図６を用いて説明する。制御部３１は、バッテリ１６からの電力により動作を開始すると、図６の音声コマンド出力制御処理を所定周期で繰り返し実行する。
【００７１】
なお、図６の音声コマンド出力制御処理において、Ｓ３１０〜Ｓ３２０の処理は図４のＳ１１０〜Ｓ１２０の処理と同じであり、Ｓ３４０〜Ｓ３６０の処理は図４のＳ１４０〜Ｓ１６０の処理と同じである。そのため、これらＳ３１０〜Ｓ３２０，Ｓ３４０〜Ｓ３６０の処理については、詳細説明を省略する。
【００７２】
制御部３１は、Ｓ３２０でＬＥＤ１５を点灯させると、Ｓ３３０で、選択スイッチ３４の状態を取得する。即ち、２つの音声コマンドデータ群Ａ，Ｂのうちどちらがユーザにより選択されているかについての情報を取得し、出力すべき音声コマンドデータ群を認識する。
【００７３】
制御部３１は、Ｓ３６０の処理後、Ｓ３７０で、選択スイッチ３４の状態に応じた（つまり選択スイッチ３４により選択された）何れかの音声コマンドデータ群を出力対象に設定する。Ｓ３８０では、その出力対象の音声コマンドデータ群における未送信の音声コマンドデータのうち、最先の音声コマンドデータを、アナログの音声コマンドに変換して、音声信号出力端子５から携帯通信端末２０へ出力する。既述の通り、音声コマンドデータ群を構成する複数の音声コマンドデータを出力する順番は予め決まっている。そのため、Ｓ３８０では、その順番上、最も先に出力すべき音声コマンドデータをアナログの音声コマンドとして出力するのである。
【００７４】
Ｓ３９０では、出力対象の音声コマンドデータ群における音声コマンドデータを全て出力完了したか否か判断する。本実施形態では、各音声コマンドデータ群Ａ，Ｂは４つの音声コマンドデータを有しているため、その４つの音声コマンドデータが全てアナログの音声コマンドとして出力されたか否かを判断するのである。
【００７５】
全ての音声コマンドデータが出力されていない場合は、Ｓ４００で、Ｓ３８０で出力した音声コマンドに対して携帯通信端末２０から応答があったか否かを判断する。そして、応答があるまで待ち、応答があったら、Ｓ３８０に戻って、次に出力すべき音声コマンドを送信する。
【００７６】
Ｓ３９０で、全ての音声コマンドデータが出力完了した場合は、Ｓ４１０でＬＥＤ１５を消灯する。そしてＳ４２０で、プラグ２が携帯通信端末２０のジャック２３から外されるのを待ち、外されたら本処理を終了する。
【００７７】
以上説明した本実施形態の接続デバイス３０によれば、携帯通信端末２０から所望のメールアドレス宛へのメール送信を、接続デバイス３０を携帯通信端末２０に装着するだけの簡単な操作で、容易且つ確実に行うことができる。
【００７８】
しかも、携帯通信端末２０が備える高度音声制御機能を利用し、携帯通信端末２０と音声信号のやりとりを行うことで、所望の内容のメールを所望のメールアドレス宛に容易且つ確実に送信することができる。
【００７９】
また、ユーザは、選択スイッチ３４を操作することで、複数（本例では２つ）の音声コマンドデータ群Ａ，Ｂの中から所望の音声コマンドデータ群を容易に選択することができる。
【００８０】
なお、本実施形態において、音声コマンドデータ群記憶部３２は本発明の音声情報記憶部の一例に相当し、各音声コマンドデータ群Ａ，Ｂは本発明の音声情報（特にメール情報）の一例に相当する。
【００８１】
［他の実施形態］
（１）携帯通信端末２０へ出力すべき音声コマンドの種類を選択する方法について、上記各実施形態では、接続デバイスの姿勢に基づく選択方法や、ユーザによる選択スイッチ３４の操作による選択方法を例示したが、これらはあくまでも一例であり、他の方法で選択できるようにしてもよい。
【００８２】
（２）音声コマンドの数や種類は適宜決めることができる。例えば、第１実施形態では音声コマンドとして電話番号を出力する例を示したが、電話番号以外の音声コマンド（例えばＷｅｂページのＵＲＬ、アプリケーションの起動命令など）を出力するようにしてもよい。記憶させておく音声コマンドデータの数も、２つに限らず、１つでもいいし３つ以上でもよい。
【００８３】
第２実施形態についても、音声コマンドとして、メールを送信させるための４つの音声コマンドを順次出力する例を示したが、メール送信以外の他の機能を実行させるために複の音声コマンドを順次出力するようにしてもよい。記憶させておく音声コマンドデータ群の数も、２つに限らず、１つでもいいし３つ以上でもよい。また、音声コマンドデータ群を構成する音声コマンドの数についても、第２実施形態で示した４つというのはあくまでも一例であり、所望の機能を実行させるために必要な音声コマンドの数に応じて適宜決めることができる。
【００８４】
もちろん、第１実施形態と第２実施形態の双方の機能を融合した接続デバイス、すなわち電話番号とメール情報の双方が記憶されていてユーザが選択的に出力できるような接続デバイスを構成することもできる。
【００８５】
（３）第２実施形態のように、複数の音声コマンドを順次出力させるケースにおいては、２番目以降の音声コマンドの出力タイミングをユーザ自ら決めることができるようにしてもよい。例えば、ユーザが操作するスイッチを設け、そのスイッチが操作される毎に音声コマンドが１つずつ順次出力されるという構成にしてもよい。
【００８６】
携帯通信端末２０への接続後に最初に出力される音声コマンドについても、接続後自動的に出力される構成ではなく、ユーザがスイッチ操作等によって出力を指示したときに出力されるようにしてもよい。第１実施形態においても同様である。
【００８７】
（４）接続デバイスを装着可能な情報処理端末として、上記実施形態の携帯通信端末２０はあくまでも一例である。音声制御機能及び音声信号入力用のコネクタを備えたあらゆる種類の情報処理端末に対して本発明の接続デバイスを装着して使用することができる。
【符号の説明】
【００８８】
１…筐体、２…プラグ、３…プラグ支持部、５…音声信号出力端子、６…グランド端子、７…右側音声信号入力端子、８…左側音声信号入力端子、１０，３０…接続デバイス、１１，３１…制御部、１２…音声コマンドデータ記憶部、１３…加速度センサ、１４…再送用スイッチ、１５…ＬＥＤ、１６…バッテリ、２０…携帯通信端末、２１…タッチパネル付ディスプレイ、２２…ホームボタン、２３…ジャック、３２…音声コマンドデータ群記憶部、３３…音声信号増幅部、３４…選択スイッチ
【要約】
【課題】情報処理端末が備える各種機能を容易且つ確実に利用できるようにすることで携帯情報端末を使用するユーザの使い勝手や利便性を向上させることを目的とする。
【解決手段】携帯通信端末２０は、ジャック２３からアナログ音声信号が入力されるとそのアナログ音声信号の内容に応じた処理を行う音声制御機能を有している。接続デバイス１０は、携帯通信端末２０のジャック２３に挿抜可能なプラグ２を備えている。また、接続デバイス１０の内部には音声情報が記憶されている。接続デバイス１０のプラグ２を携帯通信端末２０のジャック２３に挿入すると、接続デバイス１０に記憶されている音声情報がアナログ音声信号としてプラグ２から出力される。これにより、携帯通信端末２０では、接続デバイス１０から入力された音声情報の内容に応じた処理が実行される。
【選択図】図２【図３】
0005529989.tif 000002
【図４】
0005529989.tif 000003
【図５】
0005529989.tif 000004
【図６】
0005529989.tif 000005
【図１】
0005529989.tif 000006
【図２】
0005529989.tif 000007